(57)【特許請求の範囲】
【請求項１】
複数の平板状側壁（６ａ，６ｂ，６ｃ，６ｄ）を含む横断面多角形の周壁（６）を有するようにプレス成形されて成る金属製の深絞り体（５）の開口端部（５ａ）を内側に押圧して矯正する深絞り体の開口端部形状矯正装置であって、固定の基台（７）と、開口端を下向きとした姿勢の前記深絞り体（５）を内側から支持するようにして前記基台（７）上に配設される下型（８）と、前記深絞り体（５）を前記下型（８）と協働して保持することを可能としつつ前記下型（８）の上方で昇降可能な上型（９）と、所定位置まで降下した前記上型（９）で押し下げられるようにしつつ前記下型（８）を囲んで前記基台（７）に浮動支持される浮動支持台（１０）と、前記深絞り体（５）が有する複数の前記平板状側壁（６ａ〜６ｄ）と平行な軸線を有して前記浮動支持台（１０）に支持される複数の支軸（１１）と、複数の前記平板状側壁（６ａ〜６ｄ）に個別に対応して配置されるとともに前記支軸（１１）で回動可能に支持される複数の可動片（１２）と、前記浮動支持台（１０）が前記上型（９）で押し下げられるのに応じて前記深絞り体（５）の開口端部（５ａ）を内側に押圧する側に前記可動片（１２）を回動駆動することを可能としつつ前記浮動支持台（１０）を貫通して前記可動片（１２）の下面に上端が当接されるドライバ（１３）とを備え、前記可動片（１２）に対応する部分で上下に延びて前記浮動支持台（１０）を貫通する前記ドライバ（１３）の下端部が前記基台（７）に固定されることを特徴とする深絞り体の開口端部形状矯正装置。
【請求項２】
前記深絞り体（５）の開口端部（５ａ）を内側に押圧可能な押圧部（３２）を一端部に有する前記可動片（１２）の他端部の外面に、前記支軸（１１）の軸線を中心とした円弧状の被支持面（３４）が形成され、その被支持面（３４）を摺動可能に支持するようにして円弧状に凹んだ支持面（３５）を有するバックアップブロック（３６）が前記浮動支持台（１０）に固定されることを特徴とする請求項１に記載の深絞り体の開口端部形状矯正装置。
【発明の詳細な説明】
【技術分野】
【０００１】
本発明は、複数の平板状側壁を含む横断面多角形の周壁を有するようにプレス成形されて成る金属製の深絞り体の開口端部を内側に押圧して矯正する深絞り体の開口端部形状矯正装置に関する。
【背景技術】
【０００２】
平板状側壁を周壁の少なくとも一部に有する深絞り体を金属板のプレスによって形成すると、一般的には、平板状側壁の部分で深絞り体の開口端部は外側に広がろうとする。そこで深絞り体の開口端部を内側に押圧して矯正する必要があり、特許文献１、特許文献２および特許文献３で開示されるものでは、カムスライダ機構を用いて深絞り体の開口端部を内側に押圧するようにしている。
【先行技術文献】
【特許文献】
【０００３】
【特許文献１】特開平０７−０８０５５１号公報
【特許文献２】特開平０９−２３９４４４公報
【特許文献３】特開２００４−３３７９００号公報
【発明の概要】
【発明が解決しようとする課題】
【０００４】
ところが、上記特許文献１、特許文献２および特許文献３で開示されるもののようにカムスライダ機構を用いると、装置が大型化するという課題があり、単発のプレス機であれば特に問題は生じないが、トランスファープレスでは矯正の工程前後の工程との間のスペースを広く設定する必要が生じ、スペース的な無駄が生じてしまう。
【０００５】
本発明は、かかる事情に鑑みてなされたものであり、深絞り体の開口端部をコンパクトな機構で矯正可能とし、トランスファープレスにスペース的な無駄なく組み込み可能とした深絞り体の開口端部形状矯正装置を提供することを目的とする。
【課題を解決するための手段】
【０００６】
上記目的を達成するために、本発明は、複数の平板状側壁を含む横断面多角形の周壁を有するようにプレス成形されて成る金属製の深絞り体の開口端部を内側に押圧して矯正する深絞り体の開口端部形状矯正装置であって、固定の基台と、開口端を下向きとした姿勢の前記深絞り体を内側から支持するようにして前記基台上に配設される下型と、前記深絞り体を前記下型と協働して保持することを可能としつつ前記下型の上方で昇降可能な上型と、所定位置まで降下した前記上型で押し下げられるようにしつつ前記下型を囲んで前記基台に浮動支持される浮動支持台と、前記深絞り体が有する複数の前記平板状側壁と平行な軸線を有して前記浮動支持台に支持される複数の支軸と、複数の前記平板状側壁に個別に対応して配置されるとともに前記支軸で回動可能に支持される複数の可動片と、前記浮動支持台が前記上型で押し下げられるのに応じて前記深絞り体の開口端部を内側に押圧する側に前記可動片を回動駆動することを可能としつつ前記浮動支持台を貫通して前記可動片の下面に上端が当接されるドライバとを備え、前記可動片に対応する部分で上下に延びて前記浮動支持台を貫通する前記ドライバの下端部が前記基台に固定されることを第１の特徴とする。
【０００７】
また本発明は、第１の特徴の構成に加えて、前記深絞り体の開口端部を内側に押圧可能な押圧部を一端部に有する前記可動片の他端部の外面に、前記支軸の軸線を中心とした円弧状の被支持面が形成され、その被支持面を摺動可能に支持するようにして円弧状に凹んだ支持面を有するバックアップブロックが前記浮動支持台に固定されることを第２の特徴とする。
【発明の効果】
【０００８】
本発明の第１の特徴によれば、ドライバで回動駆動される可動片で深絞り体の開口端部を内側に押すようにしており、ドライバは、上下に延びて基台に固定されるものであるので、従来のカムスライダ機構を用いたものと比べると、水平方向に移動する移動部材ならびにその移動部材を支持する部材が不要であり、水平方向でのコンパクト化が可能となり、トランスファープレスにもスペース的な無駄なく組み込むことが可能となる。
【０００９】
また本発明の第２の特徴によれば、バックアップブロックの支持面で可動片にかかる荷重を受けることができ、支軸に過大な荷重がかからないようにして支軸の耐久性向上に寄与することができる。
【図面の簡単な説明】
【００１０】
【図１】上型の降下途中での深絞り体の開口端部形状矯正装置を示す縦断面図であって図２の１−１線に沿う断面図である。
【図２】図１の２矢視方向から見た平面図である。
【図３】上型が所定位置まで降下した状態での図１に対応した縦断面図である。
【発明を実施するための形態】
【００１１】
以下、本発明の実施の形態を、添付の図１〜図３を参照しながら説明すると、先ず図１および図２において、金属製の深絞り体５は、複数たとえば４つの平板状側壁６ａ，６ｂ，６ｃ，６ｄを含む横断面多角形（この実施の形態では四角形）の周壁６を有するようにして、トランスファープレスの複数工程を経てプレス成形されて成るものであり、その深絞り体５の開口端部５ａを内側に押圧して矯正するために、前記トランスファープレスの途中に本発明に従う開口端部形状矯正装置が配設される。
【００１２】
ところで前記開口端部形状矯正装置は、前記深絞り体６の４つの平板状側壁６ａ〜６ｄに対応した部分が同様の構造を有するように構成されるものであり、以下、前記深絞り体６の１つの平板状側壁６ａに対応する部分の構造について詳細に説明し、他の平板状側壁６ｂ，６ｃ，６ｄに対応する部分にも、平板状側壁６ａに対応する部分と同様の参照符号を付して図示するのみとし、詳細な説明は省略する。
【００１３】
前記開口端部形状矯正装置は、固定の基台７と、開口端を下向きとした姿勢の前記深絞り体５を内側から支持するようにして前記基台７上に配設される下型８と、前記深絞り体５を前記下型８と協働して保持することを可能としつつ前記下型８の上方で昇降可能な上型９と、所定位置まで降下した前記上型９で押し下げられるようにしつつ前記下型８を囲んで前記基台７に浮動支持される浮動支持台１０と、前記深絞り体５が有する前記平板状側壁６ａと平行な軸線を有して前記浮動支持台１０に支持される支軸１１と、前記平板状側壁６ａに対応した位置に対応して配置されるとともに前記支軸１１で回動可能に支持される可動片１２と、前記浮動支持台１０が前記上型９で押し下げられるのに応じて前記深絞り体５の開口端部５ａを内側に押圧する側に前記可動片１２を回動駆動することを可能としつつ前記浮動支持台１０を貫通してて前記可動片１２の下面に上端が当接されるドライバ１３とを備える。
【００１４】
前記基台７は、横断面形状を四角形状として上方に隆起した下型支持部７ａを中央部に有するように形成されており、前記下型８は、前記下型支持部７ａ上に複数のボルト１４で固定されるベース下型１５と、該ベース下型１５に対して上下方向に制限された範囲での変位を可能として前記ベース下型１５の上方に配置される可動下型１６とを備え、ベース下型１５および可動下型１６が相互に当接した状態にある前記下型８は、開口端を下向きとした姿勢の前記深絞り体５の内面に当接して、該深絞り体５を内側から支持することが可能である。
【００１５】
前記下型支持部７ａおよび前記ベース下型１５の複数箇所に軸方向移動可能に挿通される連結ロッド１７の下端部には、前記ベース下型１５に下方から当接可能な鍔部１７ａが設けられ、この連結ロッド１７の上端部に設けられるねじ軸部１７ｂが前記可動下型１６に螺合される。また前記基台７の前記下型支持部７ａおよび前記可動下型１６間の複数箇所にはコイル状の第１スプリング１８が縮設され、前記可動下型１６には、前記第１スプリング１８の上部に挿入されるロッド状のスプリングガイド１９が固定される。すなわち前記ベース下型１５の上方の前記可動下型１６は、前記ベース下型１５から離反して上方に変位する方向に付勢されて前記下型支持部７ａに浮動支持され、前記可動下型１６の前記ベース下型１５に対する上方への移動限は、前記鍔部１７ａが前記ベース下型１５の下面に当接することで規制される。
【００１６】
前記上型９は、図示しない油圧ラム等に連結されるベース上型２０と、該ベース上型２０に対して上下方向に制限された範囲での変位を可能として前記ベース上型２０に吊り下げ支持されるパッド２１とを備え、前記パッド２１は、開口端を下向きとした姿勢の前記深絞り体５の外面に当接して、該深絞り体５を前記下型８と協働して保持することが可能である。
【００１７】
前記パッド２１の複数箇所に下端部が固定される第１ガイドロッド２２の上部が前記ベース上型２０に摺動可能に支持され、前記パッド２１の前記ベース上型２０に対する上下方向相対移動が前記第１ガイドロッド２２でガイドされる。また前記ベース上型２０の複数箇所に軸方向移動可能に挿通される吊り下げロッド２３の上端部には、前記ベース上型２０に上方から当接する鍔部２３ａが設けられ、この吊り下げロッド２３の下端部に設けられるねじ軸部２３ｂが前記パッド２１に螺合される。すなわち前記パッド２１は、前記鍔部２３ａが、図１で示すように、前記ベース上型２０に上方から当接することで前記ベース上型２０に対する下方への移動限が規制されるようにして、前記ベース上型２０に吊り下げ支持される。
【００１８】
前記基台７に下端部が固定される４本の第２ガイドロッド２４の上部が前記上型９の前記ベース上型２０に摺動可能に嵌合されており、前記上型９は前記第２ガイドロッド２４でガイドされるようにして昇降する。
【００１９】
前記浮動支持台１０は、前記下型８のベース下型１５および前記基台７の下型支持部７ａを囲むようにして四角形状に形成される。また前記浮動支持台１０の下方で前記下型支持部７ａを囲む押さえ板２５が前記基台７に固定されており、前記浮動支持台１０および前記押さえ板２５間の複数箇所には、前記浮動支持台１０を上方に向けて付勢するコイル状の第２スプリング２６が縮設される。すなわち前記浮動支持台１０は、前記基台７に固定される前記押さえ板２５に第２スプリング２６を介して浮動支持されることなる。
【００２０】
ところで前記浮動支持台１０の複数箇所には、前記浮動支持台１０から上方に延びる棒状の受け部材２７がボルト２８で締結されており、前記上型９のベース上型２０には、前記受け部材２７の上端部に当接可能な当接突部２９が一体に形成される。したがって前記上型９が、図３で示すように、所定位置まで降下したときに前記当接突部２９が前記受け部材２７の上端部に当接して下向きの押圧力を及ぼすことで前記浮動支持台１０が第２スプリング２６のばね力に抗して押し下げられることになる。
【００２１】
前記浮動支持台１０上には、前記下型８および上型９で保持された状態にある前記深絞り体５が有する前記平板状側壁６ａに対応した一対のブラケット３０が、相互に間隔をあけて一対ずつのボルト３１で固定されており、それらのブラケット３０に、前記支軸１１がそれぞれ支持され、前記平板状側壁６ａに沿って長く延びる可動片１２の長手方向両端部が、前記支軸１１で回動可能に支持される。
【００２２】
前記可動片１２の一端部には、前記深絞り体５の開口端部５ａを内側に押圧可能な押圧部３２が形成されており、前記下型８におけるベース下型１５の上部外面には、望ましい最終形状の前記深絞り体５における開口端部５ａの内面形状に対応した受け面３３が形成され、前記深絞り体５の開口端部５ａは、前記押圧部３２で前記受け面３３に押しつけられる。
【００２３】
前記可動片１２の他端部の外面には、前記支軸１１の軸線を中心とした円弧状の被支持面３４が形成され、その被支持面３４を摺動可能に支持するようにして円弧状に凹んだ支持面３５を有するバックアップブロック３６が、複数個たとえば４個のボルト３７で前記浮動支持台１０に固定される。
【００２４】
前記ドライバ１３は、前記可動片１２の長手方向に沿って長い矩形状の横断面形状を有して上下方向に延びるものであり、このドライバ１３の下端部は、その下端部に設けられる鍔部１３ａが前記押さえ板２５および前記基台７間に挟持されるようにして前記基台７に固定される。しかも前記ドライバ１３は前記浮動支持台１０を貫通するものであり、前記支軸１１および前記押圧部３２間で前記可動片１２の下面に前記ドライバ１３の上端が当接する。したがって前記浮動支持台１０が、前記上型９の所定位置までの降下で下方に押し下げられると、前記基台７に固定された前記ドライバ１３で前記可動片１２が前記支軸の軸線周りで図１および図３の反時計方向に回動駆動され、それによって前記可動片１２の前記押圧部が前記深絞り体５の開口端部５ａを内側の前記受け面３３に向けて押し付けることになる。
【００２５】
また前記上型９における前記パッド２１の複数箇所には、その上型９の前記所定位置までの降下時に、図３で示すように、前記支軸１１および前記押圧部３２間で前記可動片１２の上面に当接する当接ロッド３８を有するダンパ３９が配設されており、前記ドライバ１３による前記可動片１２の急激な回動作動が前記ダンパ３９によって緩衝される。
【００２６】
次にこの実施の形態の作用について説明すると、開口端を下向きとした姿勢の深絞り体５を内側から支持するようにして基台７上に配設される下型８と協働して深絞り体５を保持し得る上型９が下型８の上方で昇降可能であり、所定位置まで降下した前記上型９で押し下げられる浮動支持台１０が下型８を囲んで基台７に浮動支持され、深絞り体５が有する複数の前記平板状側壁６ａ〜６ｄと平行な軸線を有する支軸１１が浮動支持台１０に支持され、前記平板状側壁６ａ〜６ｄに個別に対応して配置されるとともに前記支軸１１で回動可能に支持される複数の可動片１２が、浮動支持台１０の上型９による押し下げに応じて深絞り体５の開口端部５ａを内側に押圧する側にドライバ１３で回動駆動されるものであり、ドライバ１３が、可動片１２に対応する部分で上下に延びて浮動支持台１０を貫通し、基台７に固定されるドライバ１３の上端部が可動片１２の下面に当接されるので、従来のカムスライダ機構を用いたものと比べると、水平方向に移動する移動部材ならびにその移動部材を支持する部材が不要であり、水平方向でのコンパクト化が可能となり、トランスファープレスにもスペース的な無駄なく組み込むことが可能となる。
【００２７】
また深絞り体５の開口端部５ａを内側に押圧可能な押圧部３２を一端部に有する可動片１２の他端部の外面に、支軸１１の軸線を中心とした円弧状の被支持面３４が形成され、その被支持面３４を摺動可能に支持するようにして円弧状に凹んだ支持面３５を有するバックアップブロック３６が浮動支持台１０に固定されるので、バックアップブロック３６の支持面３５で可動片１２にかかる荷重を受けることができ、支軸１１に過大な荷重がかからないようにして支軸１１の耐久性向上に寄与することができる。
【００２８】
以上、本発明の実施の形態について説明したが、本発明は上記実施の形態に限定されるものではなく、特許請求の範囲に記載された本発明を逸脱することなく種々の設計変更を行うことが可能である。
【符号の説明】
【００２９】
５・・・深絞り体
５ａ・・・深絞り体の開口端部
６・・・周壁
６ａ，６ｂ，６ｃ，６ｄ・・・平板状側壁
７・・・基台
８・・・下型
９・・・上型
１０・・・浮動支持台
１１・・・支軸
１２・・・可動片
１３・・・ドライバ
３２・・・押圧部
３４・・・被支持面
３５・・・支持面
３６・・・バックアップブロック
【図１】
0006557169.tif 000002
【図２】
0006557169.tif 000003
【図３】
0006557169.tif 000004